【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】画像形成装置、及び画像形成処理の制御方法
【手続補正２】
【補正対象書類名】明細書
【補正対象項目名】特許請求の範囲
【補正方法】変更
【補正の内容】
【特許請求の範囲】
【請求項１】  画像データに基づいて照射する光によって潜像担持体に潜像を形成する露光手段と、前記潜像担持体に現像剤を付与することにより前記潜像を現像剤像として可視化する現像装置と、記録材に前記現像剤像を転写する転写手段と、前記現像剤像が転写された記録材を所定の定着処理温度にて加熱するとともに加圧することにより前記現像剤像を前記記録材に定着させる定着装置とを備える画像形成装置において、
前記記録材の表面の映像及び色を読み取る読取手段と、
前記読取手段が読み取った映像に基づいて前記定着処理温度を設定する定着処理温度設定手段と、
前記読取手段が読み取った前記記録材の表面の色に基づいて前記露光手段及び前記現像装置を制御する画像処理制御手段を備えることを特徴とする画像形成装置。
【請求項２】  前記読取手段は、前記記録材の表面に光を照射する光照射部と、前記記録材から反射した反射光が形成する、前記記録材の表面の映像を読み取る映像読取部と、前記記録材の表面の色を識別するためのカラーフィルタと、前記反射光のうち前記カラーフィルタを透過した光を受光する受光部とを備えることを特徴とする請求項１記載の画像形成装置。
【請求項３】  前記カラーフィルタは、赤、緑、青の３色のカラーフィルタから構成されていることを特徴とする請求項２記載の画像形成装置。
【請求項４】  前記画像処理制御手段は、前記露光手段の光照射時間幅を制御することを特徴とする請求項１乃至３のいずれか１項に記載の画像形成装置。
【請求項５】  前記現像装置は静電力により現像剤を前記潜像担持体に付与し、前記画像処理制御手段は、前記静電力を与える現像バイアス電圧を制御することを特徴とする請求項１乃至３のいずれか１項に記載の画像形成装置。
【請求項６】  前記画像処理制御手段は、前記露光手段によって前記潜像担持体を露光する際の光量を制御することを特徴とする請求項１乃至３のいずれか１項に記載の画像形成装置。
【請求項７】  プリントを開始するときに、前記プリントが画像形成装置の電源オン後の１枚目の記録材に対するプリントか否かを判定し、電源オン後の１枚目の記録材に対するプリントの場合に、前記読取手段により前記記録材の表面の映像及び色を読み取ることを特徴とする請求項１乃至６のいずれか１項に記載の画像形成装置。
【請求項８】  画像形成をする記録材を収容しておく、開閉自在な収容手段と、当該収容手段から前記記録材を搬出する搬出手段と、前記収容手段の開閉を検知する開閉検知手段とを備え、前記収容手段が開閉された後の１枚目の記録材に対するプリントがされるときに、前記読取手段により前記記録材の表面の映像及び色を読み取ることを特徴とする請求項１乃至７のいずれか１項に記載の画像形成装置。
【請求項９】  画像形成をする記録材を収容しておく複数の収容手段と、当該複数の収容手段から前記記録材を給紙する給紙手段と、前記複数の収容手段のうち給紙される前記記録材が収容された収容手段を検知するための給紙元検知手段とを備え、給紙される記録材が収容された収容手段が別の収容手段に変更されたことを前記給紙元検知手段が検知したときに、前記読取手段により前記記録材の表面の映像及び色を読み取ることを特徴とする請求項１乃至７のいずれか１項に記載の画像形成装置。
【請求項１０】  複数の前記収容手段が設けられたことを特徴とする請求項８記載の画像形成装置。
【請求項１１】  画像形成装置により記録材に画像を形成する画像形成処理の制御方法であって、
前記記録材の表面の映像及び色を読み取る読取ステップと、
画像データ及び前記読み取った記録材の表面の色に基づいて、照射する光によって潜像担持体に潜像を形成する露光ステップと、
前記読み取った記録材の表面の色に基づいて、前記潜像担持体に現像剤を付与することにより前記潜像を現像剤像として可視化する現像ステップと、
記録材に前記現像剤像を転写する転写ステップと、
前記現像剤像が転写された記録材を所定の定着処理温度にて加熱するとともに加圧することにより前記現像剤像を前記記録材に定着させる定着ステップと、
前記読取手段が読み取った映像に基づいて前記定着処理温度を設定する定着処理温度設定ステップとを有することを特徴とする画像形成処理の制御方法。
【手続補正３】
【補正対象書類名】明細書
【補正対象項目名】０００１
【補正方法】変更
【補正の内容】
【０００１】
【発明の属する技術分野】
本発明は、複写機、レーザープリンタ等の画像形成装置、及び画像形成処理の制御方法に関する。
【手続補正４】
【補正対象書類名】明細書
【補正対象項目名】０００６
【補正方法】変更
【補正の内容】
【０００６】
【課題を解決するための手段】
上記目的を達成するために、請求項１の画像形成装置は、画像データに基づいて照射する光によって潜像担持体に潜像を形成する露光手段と、前記潜像担持体に現像剤を付与することにより前記潜像を現像剤像として可視化する現像装置と、記録材に前記現像剤像を転写する転写手段と、前記現像剤像が転写された記録材を所定の定着処理温度にて加熱するとともに加圧することにより前記現像剤像を前記記録材に定着させる定着装置とを備える画像形成装置において、前記記録材の表面の映像及び色を読み取る読取手段と、前記読取手段が読み取った映像に基づいて前記定着処理温度を設定する定着処理温度設定手段と、前記読取手段が読み取った前記記録材の表面の色に基づいて前記露光手段及び前記現像装置を制御する画像処理制御手段を備えることを特徴とする。
【手続補正５】
【補正対象書類名】明細書
【補正対象項目名】００１０
【補正方法】変更
【補正の内容】
【００１０】
請求項５の画像形成装置は、請求項１乃至３のいずれか１の画像形成装置において、前記現像装置が静電力により現像剤を前記潜像担持体に付与し、前記画像処理制御手段が、前記静電力を与える現像バイアス電圧を制御することを特徴とする。
【手続補正６】
【補正対象書類名】明細書
【補正対象項目名】００１１
【補正方法】変更
【補正の内容】
【００１１】
請求項６の画像形成装置は、請求項１乃至３のいずれか１の画像形成装置において、前記画像処理制御手段が、前記露光手段によって前記潜像担持体を露光する際の光量を制御することを特徴とする。
【手続補正７】
【補正対象書類名】明細書
【補正対象項目名】００１６
【補正方法】変更
【補正の内容】
【００１６】
上記目的を達成するために、請求項１１の画像形成処理の制御方法は、画像形成装置により記録材に画像を形成する画像形成処理の制御方法であって、前記記録材の表面の映像及び色を読み取る読取ステップと、画像データ及び前記読み取った記録材の表面の色に基づいて、照射する光によって潜像担持体に潜像を形成する露光ステップと、前記読み取った記録材の表面の色に基づいて、前記潜像担持体に現像剤を付与することにより前記潜像を現像剤像として可視化する現像ステップと、記録材に前記現像剤像を転写する転写ステップと、前記現像剤像が転写された記録材を所定の定着処理温度にて加熱するとともに加圧することにより前記現像剤像を前記記録材に定着させる定着ステップと、前記読取手段が読み取った映像に基づいて前記定着処理温度を設定する定着処理温度設定ステップとを有することを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００８５
【補正方法】変更
【補正の内容】
【００８５】
【発明の効果】
以上詳細に説明したように、請求項１記載の画像形成装置、及び請求項１１記載の画像形成処理の制御方法によれば、読取手段によって記録材の表面の映像及び色を読み取ることができ、この読み取った記録材の表面の映像及び色に基づいて露光手段及び現像装置を制御することにより、記録材の表面の状態及び色に応じた画像処理を施すことができるので、記録材の色にかかわらず、良好なカラー画像を得ることができる。